【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
情報処理端末から、ネットワークを介して、商品の注文を受け付ける情報処理装置において、
前記ネットワークを介して、前記情報処理端末から、前記商品の注文を受け付ける注文受付手段と、
前記注文受付手段により受け付けられた前記商品の注文に基づいて、前記商品の仮受注データを登録する仮受注データ登録手段と、
前記仮受注データ登録手段により登録された前記仮受注データが対象とする前記商品の仮受注完了を、前記ネットワークを介して、前記情報処理端末に通知する通知手段と、
前記仮受注データ登録手段により登録された前記仮受注データを集信する集信手段と、
前記集信手段により集信された前記仮受注データを、所定の形式に変換する変換手段と、
前記変換手段により変換された前記仮受注データを、前記商品の受注データ作成処理を実行する他の情報処理装置に送信する送信手段と
を備えることを特徴とする情報処理装置。
【請求項２】
前記注文受付手段により受け付けられた前記商品の注文に基づいて、前記商品の在庫引当を行う在庫引当手段
をさらに備え、
前記仮受注データ登録手段は、前記在庫引当手段により前記商品の在庫引当が行われた前記商品の仮受注データを登録する
ことを特徴とする請求項１に記載の情報処理装置。
【請求項３】
前記仮受注データ登録手段により登録された前記仮受注データに基づいて、前記情報処理端末のユーザに対しての与信処理を実行する与信処理手段
をさらに備え、
前記通知手段は、前記仮受注データ登録手段により登録された前記仮受注データが対象とする前記商品の仮受注完了を、前記ネットワークを介して、前記与信処理手段により前記与信処理が実行されたユーザの前記情報処理端末に通知する
ことを特徴とする請求項１に記載の情報処理装置。
【請求項４】
情報処理端末から、ネットワークを介して、商品の注文を受け付ける処理をコンピュータに行わせるプログラムであって、
前記ネットワークを介して、前記情報処理端末から、前記商品の注文を受け付ける注文受付ステップと、
前記注文受付ステップの処理により受け付けられた前記商品の注文に基づいて、前記商品の仮受注データを登録する仮受注データ登録ステップと、
前記仮受注データ登録ステップの処理により登録された前記仮受注データが対象とする前記商品の仮受注完了を、前記ネットワークを介して、前記情報処理端末に通知する通知ステップと、
前記仮受注データ登録ステップの処理により登録された前記仮受注データを集信する集信ステップと、
前記集信ステップの処理により集信された前記仮受注データを、所定の形式に変換する変換ステップと、
前記変換ステップの処理により変換された前記仮受注データを、前記商品の受注データ作成処理を実行する情報処理装置に送信する送信ステップと
を含むことを特徴とするプログラム。
【請求項５】
前記注文受付ステップの処理により受け付けられた前記商品の注文に基づいて、前記商
品の在庫引当を行う在庫引当ステップ
をさらに含み、
前記仮受注データ登録ステップの処理は、前記在庫引当ステップの処理により前記商品の在庫引当が行われた前記商品の仮受注データを登録する
ことを特徴とする請求項４に記載のプログラム。
【請求項６】
前記仮受注データ登録ステップの処理により登録された前記仮受注データに基づいて、前記情報処理端末のユーザに対しての与信処理を実行する与信処理ステップ
をさらに含み、
前記通知ステップの処理は、前記仮受注データ登録ステップの処理により登録された前記仮受注データが対象とする前記商品の仮受注完了を、前記ネットワークを介して、前記与信処理ステップの処理により前記与信処理が実行されたユーザの前記情報処理端末に通知する
ことを特徴とする請求項４に記載のプログラム。
【手続補正２】
【補正対象書類名】明細書
【補正対象項目名】発明の名称
【補正方法】変更
【補正の内容】
【発明の名称】情報処理装置およびプログラム
【手続補正３】
【補正対象書類名】明細書
【補正対象項目名】０００１
【補正方法】変更
【補正の内容】
【０００１】
本発明は、情報処理装置およびプログラムに関し、特に、大量受注時におけるシステムの負荷を軽減することができるようにした情報処理装置およびプログラムに関する。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
本発明の情報処理装置は、ネットワークを介して、情報処理端末から、商品の注文を受け付ける注文受付手段と、注文受付手段により受け付けられた商品の注文に基づいて、商品の仮受注データを登録する仮受注データ登録手段と、仮受注データ登録手段により登録された仮受注データが対象とする商品の仮受注完了を、ネットワークを介して、情報処理端末に通知する通知手段と、仮受注データ登録手段により登録された仮受注データを集信する集信手段と、集信手段により集信された仮受注データを、所定の形式に変換する変換手段と、変換手段により変換された仮受注データを、商品の受注データ作成処理を実行する他の情報処理装置に送信する送信手段とを備えることを特徴とする。
本発明の情報処理装置は、注文受付手段により受け付けられた商品の注文に基づいて、商品の在庫引当を行う在庫引当手段をさらに設け、仮受注データ登録手段は、在庫引当手段により商品の在庫引当が行われた商品の仮受注データを登録することができる。
本発明の情報処理装置は、仮受注データ登録手段により登録された仮受注データに基づいて、情報処理端末のユーザに対しての与信処理を実行する与信処理手段をさらに設け、通知手段は、仮受注データ登録手段により登録された仮受注データが対象とする商品の仮受注完了を、ネットワークを介して、与信処理手段により与信処理が実行されたユーザの情報処理端末に通知することができる。
【手続補正６】
【補正対象書類名】明細書
【補正対象項目名】００２６
【補正方法】変更
【補正の内容】
【００２６】
本発明のプログラムは、ネットワークを介して、情報処理端末から、商品の注文を受け付ける注文受付ステップと、注文受付ステップの処理により受け付けられた商品の注文に基づいて、商品の仮受注データを登録する仮受注データ登録ステップと、仮受注データ登録ステップの処理により登録された仮受注データが対象とする商品の仮受注完了を、ネットワークを介して、情報処理端末に通知する通知ステップと、仮受注データ登録ステップの処理により登録された仮受注データを集信する集信ステップと、集信ステップの処理により集信された仮受注データを、所定の形式に変換する変換ステップと、変換ステップの処理により変換された仮受注データを、商品の受注データ作成処理を実行する情報処理装置に送信する送信ステップとを含むことを特徴とする。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
本発明のプログラムは、注文受付ステップの処理により受け付けられた商品の注文に基づいて、商品の在庫引当を行う在庫引当ステップをさらに含み、仮受注データ登録ステップの処理は、在庫引当ステップの処理により商品の在庫引当が行われた商品の仮受注データを登録することができる。
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】変更
【補正の内容】
【００３０】
本発明のプログラムは、仮受注データ登録ステップの処理により登録された仮受注データに基づいて、情報処理端末のユーザに対しての与信処理を実行する与信処理ステップをさらに含み、通知ステップの処理は、仮受注データ登録ステップの処理により登録された仮受注データが対象とする商品の仮受注完了を、ネットワークを介して、与信処理ステップの処理により与信処理が実行されたユーザの情報処理端末に通知することができる。
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】変更
【補正の内容】
【００３２】
本発明においては、ネットワークを介して、情報処理端末から、商品の注文が受け付けられ、受け付けられた商品の注文に基づいて、商品の仮受注データが登録され、登録された仮受注データが対象とする商品の仮受注完了が、ネットワークを介して、情報処理端末に通知される。そして、登録された仮受注データが集信され、集信された仮受注データが、所定の形式に変換され、変換された仮受注データが、商品の受注データ作成処理を実行する他の情報処理装置に送信される。
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】変更
【補正の内容】
【００４１】
請求項１に記載の情報処理装置は、ネットワーク（例えば、図２のインターネット５２）を介して、情報処理端末（例えば、図２のユーザ端末５１−１）から、商品の注文を受け付ける注文受付手段（例えば、図５の受信入力部１５１）と、注文受付手段により受け付けられた商品の注文に基づいて、商品の仮受注データを登録する仮受注データ登録手段（例えば、図５の仮受注データ登録部１６２）と、仮受注データ登録手段により登録された仮受注データが対象とする商品の仮受注完了を、ネットワークを介して、情報処理端末に通知する通知手段（例えば、図５の表示データ提供部１５４）と、仮受注データ登録手段により登録された仮受注データを集信する集信手段（例えば、図６の仮受注データ集信部１７２）と、集信手段により集信された仮受注データを、所定の形式に変換する変換手段（例えば、図６のファイル作成部１７４）と、変換手段により変換された仮受注データを、商品の受注データ作成処理を実行する他の情報処理装置（例えば、図３の受注データベースサーバ９１）に送信する送信手段（例えば、図６のファイル送信部１７５）とを備えることを特徴とする。
請求項２に記載の情報処理装置は、注文受付手段により受け付けられた商品の注文に基づいて、商品の在庫引当を行う在庫引当手段（例えば、図１５の在庫引当部４１１）をさらに備え、仮受注データ登録手段は、在庫引当手段により商品の在庫引当が行われた商品の仮受注データを登録することを特徴とする。
請求項３に記載の情報処理装置は、仮受注データ登録手段により登録された仮受注データに基づいて、情報処理端末のユーザに対しての与信処理を実行する与信処理手段（例えば、図１９のオーソリ処理部４３１）をさらに備え、通知手段は、仮受注データ登録手段により登録された仮受注データが対象とする商品の仮受注完了を、ネットワークを介して、与信処理手段により与信処理が実行されたユーザの情報処理端末に通知することを特徴とする。
【手続補正１７】
【補正対象書類名】明細書
【補正対象項目名】００４２
【補正方法】変更
【補正の内容】
【００４２】
請求項４に記載のプログラムは、ネットワークを介して、情報処理端末から、商品の注文を受け付ける注文受付ステップ（例えば、図１２のステップＳ１７）と、注文受付ステップの処理により受け付けられた商品の注文に基づいて、商品の仮受注データを登録する仮受注データ登録ステップ（例えば、図１２のステップＳ１８）と、仮受注データ登録ステップの処理により登録された仮受注データが対象とする商品の仮受注完了を、ネットワークを介して、情報処理端末に通知する通知ステップ（例えば、図１２のステップＳ１９）と、仮受注データ登録ステップの処理により登録された仮受注データを集信する集信ステップ（例えば、図１３のステップＳ４３）と、集信ステップの処理により集信された仮受注データを、所定の形式に変換する変換ステップ（例えば、図１３のステップＳ４４）と、変換ステップの処理により変換された仮受注データを、商品の受注データ作成処理を実行する情報処理装置に送信する送信ステップ（例えば、図１３のステップＳ４５）とを含むことを特徴とする。
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】変更
【補正の内容】
【００４４】
請求項５に記載のプログラムは、注文受付ステップの処理により受け付けられた商品の注文に基づいて、商品の在庫引当を行う在庫引当ステップ（例えば、図１７のステップＳ１１８）をさらに含み、仮受注データ登録ステップの処理は、在庫引当ステップの処理により商品の在庫引当が行われた商品の仮受注データを登録することを特徴とする。
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】変更
【補正の内容】
【００４６】
請求項６に記載のプログラムは、仮受注データ登録ステップの処理により登録された仮受注データに基づいて、情報処理端末のユーザに対しての与信処理を実行する与信処理ステップ（例えば、図２１のステップＳ１７９）をさらに含み、通知ステップの処理は、仮受注データ登録ステップの処理により登録された仮受注データが対象とする商品の仮受注完了を、ネットワークを介して、与信処理ステップの処理により与信処理が実行されたユーザの情報処理端末に通知することを特徴とする。